(57)【要約】      （修正有）【課題】書類を綴じることなく一時的に保管するマチ付きフォルダーの欠点である、書類挿入時のマチ部谷折り部に対する書類のひっかかり問題や、マチの折り込みによる書類なし時でも厚みがあるなどの問題を解決する書類用フォルダーを提供する。【解決手段】矩形基板シート１の２端辺以上にポケット部材片５a,５mが延設されており、前記基板シート１上で、前記ポケット部材片５a５mの重なり部分において互いに十字方向にクロスして移動可能に、かつ移動を一定距離で停止させるストッパー１５a機能を有して連結してなる書類ポケットを有する書類用フォルダーとする。【選択図】図６
2013154483.tif 000002
【特許請求の範囲】
【請求項１】
矩形基板シートの２端辺以上にポケット部材片が延設されており、前記基板シート上で、前記ポケット部材片の重なり部分において互いに十字方向にクロスして移動可能に、かつ移動を一定距離で停止させるストッパー機能を有して連結してなる書類ポケットを有することを特徴とする書類用フォルダー。
【請求項２】
ポケット部材片は、基板シートのそれぞれの端辺に平行に延設されたマチ部を有し、重なり合うポケット部材片の一つには基板シート端辺に対して斜め端辺と、ストッパーを有し、もう一方のポケット部材片には、該２つのポケット部材片を基板シート上に重ね合わせた時、前記斜め端辺に沿い、該斜め端辺を抱え込める位置に斜め折り筋とそれに延設された折り込み片を有することを特徴とする請求項１記載の書類用フォルダー。
【発明の詳細な説明】
【技術分野】
【０００１】
本発明は、書類を綴じずに収納出来る書類収納フォルダーに関し、更に詳しくは収納する書類量に応じて収納部厚みが変化可能なポケット付き書類収納フォルダーに関する。
【背景技術】
【０００２】
従来より、書類をとじ具で綴じずに、一時保管的目的からバラで書類収納する書類収納フォルダーが使われている（特許文献１）。紙製でマチ部を有するポケットを設け、上からの投げ入れ式か、ブック式（フラットファイルのように両開きする）の表紙に山谷折りマチによるポケットを設け、どちらも書類非収納時はマチが畳まれ、書類の量により山谷折りマチが開く紙製フォルダーが多く使われている。また逆にマチのないプラスチックシートで作られたクリアーファイルもバラで少量枚数の書類を一時保管するために用いられている。
【０００３】
しかし上記従来の山谷折りマチ方式では、マチの最大幅（谷折り部が完全に延びて平らになる）まで書類を詰め込まない限り、マチが山状にポケット内側に突き出しているため収納した書類は揃わず、また書類収納時、フォルダー内側に折れ曲がった谷折り部が書類の収納を邪魔するなど使い勝手が悪かった。またマチ部中央には折り筋が入っているためマチ部は背表紙としては使えず、ブック型でない投げ入れ式は、背表紙部がないため本棚や書類棚にブック方式で保管するのには適さなかった。また、プラスチックス製の書類入れは、マチ部を折り畳めないボックスタイプになり、空でも場所を必要としコストも高いという問題を有している。マチのないクリアーファイルは、書類が少量しか収納出来ないなどの問題を有していた。
【０００４】
【特許文献１】特開２００３−２５７７７
【発明の開示】
【発明が解決しようとする課題】
【０００５】
本発明が解決しようとしている課題は、山谷折りのマチ部を用いないで厚み調整可能な
書類収納ポッケトを有した書類収納フォルダーを提供することにある。
【課題を解決するための手段】
【０００６】
第一の課題解決手段は、矩形基板シートの２端辺以上にポケット部材片が延設されており、前記基板シート上で、前記ポケット部材片の重なり部分において互いに十字方向にクロスして移動可能に、かつ移動を一定距離で停止させるストッパー機能を有して連結してなる書類ポケットを有することを特徴とする書類用フォルダー。
【０００７】
第二の課題解決手段は、ポケット部材片は、基板シートのそれぞれの端辺に平行に延設されたマチ部を有し、重なり合うポケット部材片の一つには基板シート端辺に対して斜め端辺と、ストッパーを有し、もう一方のポケット部材片には、該２つのポケット部材片を基板シート上に重ね合わせた時、前記斜め端辺に沿い、該斜め端辺を抱え込める位置に斜め折り筋とそれに延設された折り込み片を有することを特徴とする請求項１記載の書類用フォルダー。
【発明の効果】
【０００８】
本発明による効果は以下の通りである。基板シートの２端辺にポケット部材片を設けた、２方向開放型のフォルダーでは、従来のクリアーファイル同様に少量のバラの書類を収納出来、更に収納量を増やしていけば、マチ部が自動的に立ち上がり、最大マチ幅分の書類を収納でき、マチ部は背表紙になるため、書架に保管しても書類内容を表記できるというクリアーファイルにはない便利さがある。本発明は、従来の書類収納フォルダーの特徴でる山谷折りマチがなくても、収納する書類量（厚さ）に応じて書類収納ポケットの書類収納部厚みを変化させることが出来、山谷折りマチがないため書類の収納時、マチの山谷折り部に書類が引っかかるという不便がなくなり、かつ従来の山谷折りマチ方式より、書類未収能の状態でもフォルダーの厚みは薄くて済む。またマチ部中央に折り筋が無いため、マチ部は背表紙にも使える。また基板シートの３端辺にポケット部材片を設け、両開き表裏紙両面内側に一方向開放型のポケットを設ければ、バラ収納といえども少なくとも表裏ポケットに２種類に書類を分類して保管可能となり大変便利である。即ち両面ポケットフォルダーは、フラットファイルの如く扱う事が出来、背表紙にもタイトル表示をすれば、机の引き出しではなく、書類棚に整理保管することが可能になる。即ち、本発明によれば、従来の折り畳める山谷マチによる厚み調製を用いずとも書類収納量を変化させることが出来、この事により、従来の書類収納時の山谷マチによる邪魔さが無くなり、かつ接着剤やホチキスなどを用いずに１枚の紙を折り畳むだけで厚み調整可能なフォルダーとなる。また重なり合うポケット部材片はマチが基板シートに対して直立した状態で、それ以上マチ部が傾くのを防止するストッパー機能が働き、マチの直角が維持可能である。
【発明を実施するための最良の形態】
【０００９】
本実施例１は従来の少量の書類しか収納できないクリアーファイルに代わる、少量からマチの最大厚み分まで収納厚みに対応できる新規ファオルダーに関するものであり、図１は１枚の板紙を打ち抜いた実施例１の展開図である。基板シート１端辺２、３に折り筋２ｓ、３ｓを介して、第一ポケット部材片５（５ａと５ｍ）、第二ポケット部材片６（６ａと６ｂ）が延設されており、本実施例ではマチ部５ｍは背表紙に、マチ部６ｍは底に相当する。尚、斜め端辺１４ａ、斜め折り筋１０ｓは、それぞれ折り筋８ｓ、折り筋９ｓに対して４５度の角度を有し、折り筋８ｓと折り筋９ｓは直角関係にある。
【００１０】
図２は図１に於いて、第一ポケット部材片５を折り筋２ｓから基板シート１の上に折り曲げた状態の平面図である。
【００１１】
図３は図２に於いて、第二ポケット部材片６を折り筋３ｓから第一ポケット部材片５の上に折り曲げた状態の平面図である。
【００１２】
図４は図３に於いて、第二ポケット部材片６の折り込み片６ｂを第一ポケット部材片５の斜め端辺１４ａ（図２参照）を包み込むように第一ポケット部材５ａと基板シート１との間に折り曲げ差し込んだ状態を示す平面図である。図４には第一ポケット部材５ａの下になっている折り込み片６ｂを便宜上点線で示している。これで少ない枚数の書類を収納出来るポケットＰ１が出来上がった。図７は図４の状態の斜視図である。マチ部５ｍ、６ｍも基板シート１の上に倒れており、ポケットＰ１は最も書類収納量スペースが少ない状態である事が分かる。図９は図４の別角度からの斜視図である。ここまでで分かる事は、図４、図７、図９に於いて、端辺１４ａに折り筋１０ｓがぴったり重なって折り込み片６ｂが折り曲げられており、かつストッパー１５ａと折り込み片６ｂとは、折り筋３ｓ、又は折り筋９ｓに対する垂直距離でマチ６ｍと同幅の移動可能距離離れていることである。
【００１３】
図５は、図４、図７の状態のポケットＰ１に徐々に書類を収納して行くとマチ部５ｍ、６ｍが折り筋２ｓ、３ｓを支点として直立する。それとともにストッパー１５ａはマチ部５ｍの幅分だけ端辺２側に移動し、折り込み片６ｂはマチ部６ｍの幅分だけ端辺３側に下がってきて、折り込み片６ｂ端はストッパー１５ａに係止停止する。即ち、図５はポケットＰ１がマチ部５ｍ、６ｍが基板シート１に対して直立状態でストップした状態の平面図である。従って、図５では２、２ｓ、８ｓを１本実線で、３、３ｓ、９ｓを１本実線で表した。図６は図５の斜視図である。図８は図５の別角度からの斜視図である。ポケットＰ１の書類収納厚みが増えたことが分かる。
【００１４】
以上、実施例１からは１枚のシート（本実施例では板紙、また実施例図ではシートの厚みを省略した）を折り畳むだけで、山谷折りのマチを用いずに、厚み調製可能な書類用フォルダーが完成した。マチ部５ｍは、背表紙にもなり、書類収納時は従来の山谷折りのマチに邪魔されることなく収納でき、かつ安価に製造出来る優れものである。また、斜め端辺１４ａ、斜め折り筋１０ｓが、基板シート１端辺２、３に対してそれぞれ４５度の角度を有していることにより、ポケットＰ１は、書類収納厚みが最低から、最高になるまで
斜め端辺１４ａを斜め折り筋１０ｓがピッタリした状態で移動出来、かつストッパー１５ａにより移動距離をコントロールされる状況が分かる。
【００１５】
以下に、実施例２を説明する。実施例２は、実施例１がポケットＰ１が、２方向に開放されているのに対し、一方向のみにポッケトが開放されている。図１０は、実施例２の展開図である。基板シート１端辺には第一ポケット部材片５、第二ポケット部材片６、第三ポケット部材片７が延設され、背表紙２０を対称に左右に同じ構造をしている。図１０の左半分は実施例１の図１に対して、端辺４側に実施例１図１の第二ポケット部材片６と同一構造をした第三ポケット部材片７が対称構造で付加されたものでることが分かる。
【００１６】
図１１は実施例１の図４と同じ場面に相当する平面図である。実施例２は実施例１と基本となるポケット部材どうしの連結構造は全く同じである。この図１１で１方向開放のポケットＰ２が完成した。マチ５ｍ、６ｍ、７ｍは基板シート１上に倒れているので、書類の収納量は最低である。図４同様、折り込み片６ｂ、７ｂは、ポケットＰ２の内側に折り込まれており、本図には見えない。
【００１７】
図１２は、ポケットＰ２の書類収納量が最大となる状態、実施例１では図５、図６、図８に相当する段階の平面図である。
【００１８】
実施例２は、実施例１に示したものと同じ簡単な組み立てで、バラの書類を左右のポケットに振り分け（２分類）て保管出来、大変便利である。書類を綴じないフォルダーという、簡単収納でありながら、背表紙もつき、内容も２分類して保管出来るなど便利である。さらに、ホチキスや接着などの必要もない。実施例２は実施例１から、容易に内容を理解できるので、斜視図は省略する。
【００１９】
以下に実施例３を示す。図１３は、実施例２の図１０の右半お分が基板シート２１になっているだけである。基本構造は実施例１、実施例２と何ら変わることはなく、基板シート２１が蓋となるため、実施例２の図１１、図１２に於いて、右半分が蓋になるだけの違いである。従って、折り畳み以降の図面を省略する。最近の写真はデジタルプリントであり、ネガを必要としなくなったため、例えばＬ判写真を数枚から５０枚程度まで収納可能な収納厚み可変型プリント袋が求められており、寸法をＬ判サイズに調整すると最適なプリント仕様である。
【００２０】
上記実施例３例に使われた斜め端辺、斜め折り筋はポケット部材片が十字にクロスした時に最も無駄のない角度が部材片が延設する基板シート端辺に対し４５度の角度である事が望ましいが、斜め端辺と斜め折り筋が離れてよければ、該角度は４５度を規定するものではない事は明らかである。
【００２１】
以下に実施例４を示す。図１４は実施例４の展開平面図である。第二ポケット部材片６、第三ポケット部材片７を折り筋３ｓ、４ｓから基板シート１上に折り曲げ、その上から第一ポケット部材片５を折り曲げ、ストッパー３１ａ、３１bを第二ポケット部材片６、第三ポケット部材片７の係止孔３２、３３に挿入すると図１５になり、ポケットＰ４が出来上がる。係止孔３２、３３は細長く４５度角度に開いており、マチ５ｍ、６ｍ、７ｍの幅だけストッパー３１ａ、３１ｂが移動可能であり、マチが基板シートに対して直立した時、移動出来ない位置関係にある。本実施例もブック型、フラットファイル型で、２分類収納出来るフォルダーの実施例である。この実施例に於いても、ポケット部材片の重なり部分に於ける十字方向へのクロスする動きとそれを止めるメカニズムは実施例１、２、３と同じである。
【００２２】
以下に実施例５を示す。図１６はその展開平面図である。第二ポケット部材片６、第三ポケット部材片７を基板シート１上に折り曲げ、第一ポケット部材片５をその上から折り曲げ、折り込み部材５ｂを折り筋３９ｓから内側に折り曲げると図１７となる。ストッパー３５、３６が係止孔３４ａ、３４ｂから少し見える。この状態でポケットＰ５が出来た。マチは基板シート１上に倒れており、最小枚数の書類を収納出来る状態にある。書類量を増やしていくとマチが立ち上がり、第二ポケット部材片６、第三ポケット部材片７は第一ポケット部材片５の係止孔端３４ａ、３４ｂで、第一ポケット部材片５は第二ポケット部材片６、第三ポケット部材片７の端辺３７、３８に折り筋３９ｓが係止し、マチ部が基板シート１に対して直立して止まる位置関係にある。本実施例も、フラットファイルに似た簡単組み立てフォルダーである。本実施例５ではポケット部材片の重なり部分での斜め係止構造は必要としない。
【００２３】
以下に実施例６を示す。図１８はその展開平面図である。実施例６では、第一ポケット部材片５を先に基板シート１の上に折り曲げ、次に第二ポケット部材片６、第三ポケット部材片７をその上に折り曲げ、第一ポケット部材片５のストッパー４０ａ、４０ｂを第二ポケット部材片６、第三ポケット部材片７の係止孔４１、４２に挿入すると図１９の状態になる。これは書類収納厚みは最薄状態で、ポケットＰ６の書類収容量を増やしていくと、マチ５ｍ、６ｍ、７ｍが基板シート１に対して直立し図２０のようになる。ストおッパー４０ａ、４０ｂは係止孔４１、４２の中で移動し、それ以上のポケット部材の動きを止めることが分かる。
【００２４】
以上の説明で分かる通り、本発明によれば、糊などの接着剤や、ホチキスなど一切を使わず、１枚のシートを折り畳むだけで山谷のないマチを有した厚み書類収納量としての調製可能なフォルダー及び袋が作成出来る。直角方向から重なり合ったポケット部材が、十字にクロスしながらマチ幅だけ移動してストップするようにしたことがポイントであり、上記実施例以外にもいくつかの係止方法が有ることは当然である。
【図面の簡単な説明】
【００２５】
【図１】実施例１展開図
【図２】実施例１折り畳み途中平面図１
【図３】実施例１折り畳み途中平面図２
【図４】実施例１完成平面図（厚み最薄）
【図５】実施例１完成平面図（厚み最厚）
【図６】実施例１完成斜視図（厚み最厚）
【図７】実施例１完成斜視図（厚み最薄）
【図８】実施例１完成斜視図別角度（厚み最厚）
【図９】実施例１完成斜視図別角度（厚み最薄）
【図１０】実施例２展開図
【図１１】実施例２完成平面図（厚み最薄）
【図１２】実施例２完成平面図（厚み最厚）
【図１３】実施例３展開図
【図１４】実施例４展開図
【図１５】実施例４完成平面図（厚み最厚）
【図１６】実施例５展開図
【図１７】実施例５完成平面図（厚み最薄）
【図１８】実施例６展開平面図
【図１９】実施例６完成平面図（厚み最薄）
【図２０】実施例６完成平面図（厚み最厚）
【符号の説明】
【００２６】
１、２１                        基板シート
２、３、４                      基板シート端辺
２ｓ、３ｓ、４ｓ、３９ｓ        折り筋
５、６、７                      ポケット部材片
５ｍ、５ａ                      ポケット部材片５に含む
６ｍ、６ａ、６ｂ                ポケット部材片６に含む
７ｍ、７ａ、７ｂ                ポケット部材片７に含む
６ｂ、７ｂ                      折り込み片
１０ｓ、１７ｓ                  斜め折り筋
１４ａ、１４ｂ                  斜め端辺
１５ａ、１５ｂ、３１ａ、３１ｂ  ストッパー
４０ａ、４０ｂ
２０                            背表紙
３２、３３、３４ａ、３４ｂ      係止孔
４１,４２
【図１】
2013154483.tif 000003
【図２】
2013154483.tif 000004
【図３】
2013154483.tif 000005
【図４】
2013154483.tif 000006
【図５】
2013154483.tif 000007
【図６】
2013154483.tif 000008
【図７】
2013154483.tif 000009
【図８】
2013154483.tif 000010
【図９】
2013154483.tif 000011
【図１０】
2013154483.tif 000012
【図１１】
2013154483.tif 000013
【図１２】
2013154483.tif 000014
【図１３】
2013154483.tif 000015
【図１４】
2013154483.tif 000016
【図１５】
2013154483.tif 000017
【図１６】
2013154483.tif 000018
【図１７】
2013154483.tif 000019
【図１８】
2013154483.tif 000020
【図１９】
2013154483.tif 000021
【図２０】
2013154483.tif 000022